(57)【要約】【課題】ワンタッチで組立可能な箱を提供する。【解決手段】組立箱１０の隣接する頂板１５と折り込み片１４との間にガイド片１６を設けた。端板１２を抱き込み板１７に、側板１３を底板１１に、折り込み片１４を端板１２にそれぞれ重ね合わせた平板状態から、頂板１５を持ち上げる。すると、頂板１５に連設された側板１３が、側板１３に連設された折り込み片１４が、折り込み片１４に連設された端板１２および抱き込み板１７が連動して連鎖的に起立する。同時に、折りたたんだ状態で、抱き込み板１７に重なり合うガイド片１６が、抱き込み板１７の起立に伴ってこれに抱き込まれ、斜めに延びる折り目で内側に２つ折りにされつつ倒伏する。このガイド片１６の倒伏動作に連動して、これに連設された頂板１５が自動的に底板１１と水平方向に倒伏する。こうして、頂板１５を持ち上げるのみで箱１０が組み立てられる。【選択図】図３
2007326604.tif 000002
【特許請求の範囲】
【請求項１】
底板１１と、
底板１１の四辺に折り目を介して連設された各一対の側板１３と、端板１２と、
隣接する側板１３と端板１２との間に折り目を介して連設された折り込み片１４と、
側板１３の先端に折り目を介して連設された頂板１５と、
端板１２の先端に折り目を介して連設された抱き込み板１７と、
隣接する頂板１５と折り込み片１４との間に折り目を介して連設されたガイド片１６とからなり、
前記折り込み片１４は、底板１１の角隅から斜めに延びる折り目で２つ折り可能となっており、
前記ガイド片１６は、側板１３の角隅から斜めに延びる折り目で２つ折り可能となっており、
側板１３と底板１１の境界の折り目および折り込み片１４と端板１２の境界の折り目を折り曲げて、側板１３を底板１１に、折り込み片１４を端板１２にそれぞれ重ね合わせ、
端板１２と抱き込み板１７の境界の折り目を折り曲げて抱き込み板１７を端板１２に重ね合わせると、抱き込み板１７とガイド片１６とが重なり合うように形成された組立箱。
【請求項２】
上記抱き込み板１７を、先端に向かい幅が狭まる台形状に形成した請求項１に記載の組立箱。
【請求項３】
上記抱き込み板１７の基端両側から、抱き込み板１７の外縁に向かい複数の折り目を放射状に設けた請求項１または２に記載の組立箱。
【発明の詳細な説明】
【技術分野】
【０００１】
この発明は、折り畳んだ状態からワンタッチで収納可能状態へと組立可能な箱に関する。
【背景技術】
【０００２】
生鮮食品等の収納に用いられる箱は、使い捨てとするには、資源保護の問題や箱の製造コストの問題から好ましくないため、再利用の途が模索されている。
しかし、このような箱を再利用に供するには、未収納時における運送コストの問題をクリアしなければならない。
そこで、運送コストの低減を図るべく、未収納時には、平板状に折り畳んでおくことで嵩張らず、収納時にはこの折り畳み状態から収納可能状態へと組み立てることのできる組立箱が種々考案されている。
【０００３】
たとえば、展開状態において、図５に示されるような組立箱２０が従来から知られている（特許文献１から３参照）。
図示のように、この組立箱２０は、底板２１と、折り目を介し底板２１四辺に対向して連設された各一対の側板２３と端板２２と、隣接する側板２３と端板２２間に折り目を介して連設された折り込み片２４と、側板２３の先端に折り目を介して連設された頂板２５と、頂板２５の両サイドに折り目を介して連設された係止片２６と、端板２２の先端に二重の折り目を介して連設された内板２７とからなる。
詳しくは、折り込み片２４は、底板２１角隅から斜めに延びる折り目により二つ折り可能となっており、端板２２と内板２７との境界の二重の折り目には、差込孔２８が設けられている。
【特許文献１】特開２００５−１４９７０号公報
【特許文献２】特開２００５−１５０３２号公報
【特許文献３】特開２００６−１０３７３８号公報
【０００４】
このような組立箱２０は、以下のようにして組み立てる。
まず、図５の展開状態から、図６（ａ）のように、側板２３と底板２１の境界の折り目および折り込み片２４と端板２２の境界の折り目を折り曲げて、側板２３を底板２１の上に、折り込み片２４を端板２２の上にそれぞれ重ね合わせる。
同様に、図６（ａ）のように、端板２２と内板２７の境界の折り目を折り曲げて内板２７を端板２２の上に重ね合わせる。
組立箱２０に収納物を収納していない場合には、この図６（ａ）のような平板状に折りたたんだ状態で流通する。
このように未収納状態においてはフラットであるため、場所をとらず運送のコストが低廉である。
【０００５】
次に、組立箱２０に生鮮食品等を収納する際には、図６（ｂ）から（ｃ）のように、両頂板２５を手で持ち上げて底板２１に対して起立させる。
すると、頂板２５に連設された側板２３もこの動きに連動して底板２１に対して起立する。
同時に側板２３に連設された折り込み片２４もこの動きに連動して、底板２１角隅から斜めに延びる折り目が内側へと折れ曲がることで２つ折りになりつつ、一体となって持ち上がる。
そして、この折り込み片２４の動きに連動して、折り込み片２４に連設する端板２２も自動的に起立する。
【０００６】
次に、図６（ｃ）から（ｄ）のように、起立状態にある頂板２５を、頂板２５と側板２３との境界の折り目を折り曲げて底板２１と平行になるまで倒伏させる。
さらに、図示のように、係止片２６と頂板２５との境界の折り目を折り曲げて、係止片２６を内板２７と端板２２の境界差込孔２８に差し込む。
このようにして、図６（ｄ）のような組立箱２０が収納現場等において、収納可能状態へと組み立てられる。
【０００７】
しかし、このような箱２０の組立作業の際には、頂板２５を持ち上げることで、端板２２および側板２３を一体に起立させる工程と、持ち上げた頂板２５を倒伏させて係止片２６を差込孔２８に差込む工程との二つの工程が必要となる。
そのため組立に、２度の手間を要し、組立容易性の面で未だ改善の余地が残されている。
【発明の開示】
【発明が解決しようとする課題】
【０００８】
そこで、この発明は、折り畳んだ状態から、ワンタッチで収納可能状態へと組立可能な組立箱を提供することをその課題とする。
【課題を解決するための手段】
【０００９】
上記した課題を解決するため、この発明にかかる組立箱を、底板と、底板の四辺に折り目を介して連設された各一対の側板と、端板と、隣接する側板と端板との間に折り目を介して連設された折り込み片と、側板の先端に折り目を介して連設された頂板と、端板の先端に折り目を介して連接された抱き込み板と、隣接する頂板と折り込み片との間に折り目を介して連設されたガイド片とから構成した。
そして、折り込み片は、底板の角隅から斜めに延びる折り目で２つ折り可能とし、ガイド片は、側板の角隅から斜めに延びる折り目で２つ折り可能とした。
さらに、端板と抱き込み板の境界の折り目を折り曲げて抱き込み板を端板に重ね合わせ、側板と底板の境界の折り目および折り込み片と端板の境界の折り目を折り曲げて、側板を底板に、折り込み片を端板にそれぞれ重ね合わせると、抱き込み板とガイド片とが重なり合うように形成した。
【００１０】
このような箱を、まず、側板と底板の境界の折り目および折り込み片と端板の境界の折り目を折り曲げて、側板を底板に、折り込み片を端板にそれぞれ重ね合わせ、端板と抱き込み板の境界の折り目を折り曲げて端板を抱き込み板に重ね合わせた平板状のフラットな状態に形成する。
つぎに、この状態から、頂板を持ち上げて底板に対して起立させると、頂板に連設された側板も一緒になって起立する。
同時に側板に連設された折り込み片が連動して、底板の角隅から斜めに延びる折り目で内側に向かい２つ折りになりつつ自動的に起立し、この折り込み片の起立に連動し、折り込み片に連結された端板および抱き込み板が自動的に起立することで、底板の四辺に側板と端板とが立ち上がる。
さらに、これと同時に、抱き込み板に重なり合うガイド片が、抱き込み板の起立に伴ってこれに抱き込まれ、側板の角隅から斜めに延びる折り目で内側に２つ折りにされつつ倒伏する。
このガイド片の倒伏動作に連動してこれに連設された頂板が自動的に底板と水平の方向に倒伏することで、立ち上がった側板の上縁から内向きに頂板が張り出す。
このため、折り畳んだ状態から、ワンタッチで組立箱を収納可能状態へと組み立てることができる。
また、抱き込み板がガイド片を抱きこむため、収納可能状態での形状が安定する。
【００１１】
抱き込み板を、先端に向かい幅が狭まる台形状に形成すると、その両側が傾斜しているため、ガイド片を抱きこむ際のガイド片と抱き込み板との干渉が抑えられ、スムーズに抱き込み動作を行うことができる。
【００１２】
抱き込み板の基端両側から、抱き込み板の外縁に向かい複数の折り目を放射状に設けると、抱き込み板の両側部分は、折り目に沿って折り曲げ可能となるので、ガイド片を抱き込む際に、この両側部分が適宜折れ曲がって抱き込み板とガイド片との引っかかりを防ぎ、一層スムーズに抱き込み動作が行われる。
【発明の効果】
【００１３】
頂板と折り込み片との間にガイド片を設けたことにより、端板の起立に連動して、頂板がガイド片に案内されて自動的に倒伏するため、ワンタッチで組立箱を組み立てることができる。
【発明を実施するための最良の形態】
【００１４】
以下、図面を参照しつつこの発明の実施の形態について説明する。
【００１５】
図１は、実施形態にかかる組立箱１０の展開状態を示す。
図示のように、組立箱１０は、方形の底板１１と、底板１１の四辺に折り目を介して連設された各一対の方形の端板１２と、方形の側板１３と、隣接する端板１２と側板１３との間に折り目を介して連設されたＬ字型の折り込み片１４と、側板１３の先端に折り目を介して連設された頂板１５と、隣接する頂板１５と折り込み片１４との間に折り目を介して連設されたＬ字型のガイド片１６と、端板１２の先端に二重の折り目を介して連設された先端に向かい狭まる台形状の抱き込み板１７とからなる。
ここで、折り込み片１４は、底板１１の角隅から斜めに延びる折り目で２つ折り可能となっており、ガイド片１６は、側板１３の角隅から斜めに延びる二重の折り目で２つ折り可能となっている。
さらに、底板１１と端板１２の境界の折り目上には係止孔１１ａが設けられ、端板１２と抱き込み板１７の境界の折り目上および抱き込み板１７の先端の係止孔１１ａに対応する位置には係止突起１２ａ、１７ａが設けられている。
そして、抱き込み板１７の先端中央部には基端側へと平行に延びる切れ込みが形成されており、切れ込みの終端は内向きにカールし、その終端同士をつないで折り目が形成されることで、抱き込み板１７先端中央部は区画されて貼り付け部１７ｂとなっている。
また、抱き込み板１７の基端両側に設けられた長孔１７ｃから、上記先端中央の切れ込みに連通する折り目が形成されており、長孔１７ｃから放射状にその他の折り目が延びている。
なお、折り込み片１４に形成された斜めの折り目や、折り込み片１４とガイド片１６との境界の折り目や、抱き込み板１７の長孔１７ｃから切れ込みに連通する折り目には、折り曲げを容易とするために断続的に切れ目が入れられている。
また、頂板１５とガイド片１６との境界の折り目の頂板１５基端側には、切れ込みが形成されており、この切れ込みに区画されることにより頂板１５両側には、先端に向かい幅が狭まる台形状の突片１５ａが形成されている。
【００１６】
このような組立箱１０は、以下のようにして組み立てる。
まず、図２（ａ）の展開状態から、図２（ｂ）のように、側板１３と底板１１の境界の折り目および折り込み片１４と端板１２の境界の折り目を折り曲げて、側板１３を底板１１の上に、折り込み片１４を端板１２の上にそれぞれ重ね合わせる。
つぎに、図２（ｃ）のように、端板１２と抱き込み板１７の境界の折り目を折り曲げて抱き込み板１７を端板１２の上に重ね合わせる。
この状態で形状を安定させるため、抱き込み板１７の貼り付け部１７ｂおよび折り込み片１４の折り目で区画される端板側半分は、端板１２の内面にホットメルト接着剤等で貼り付けられる。
組立箱１０に収納物を収納していない場合には、この図２（ｃ）のような平板状に折り畳んだフラットな状態で流通する。
【００１７】
次に、組立箱１０に生鮮食品等を収納する際には、図３のように、両頂板１５を手で持ち上げて底板１１に対して起立させる。
すると、図示のように、頂板１５に連設された側板１３がこの動きに連動して自動的に持ち上がり、底板１１に対して起立する。
また、側板１３に連設された折り込み片１４も連動して、底板１１の角隅から斜めに延びる折り目で内側に向かい２つ折りになりつつ自動的に起立する。
さらに、この折り込み片１４の起立に連動し、折り込み片１４に連設された端板１２および抱き込み板１７が自動的に起立する。
これと同時に、抱き込み板１７に重なり合うガイド片１６が、図示のように、抱き込み板１７の起立に伴ってこれに抱き込まれ、側板１３の角隅から斜めに延びる折り目で内側に２つ折りにされつつ倒伏する。
この抱き込み時には、抱き込み板１７の両側は、長孔１７ｃから先端の切れ込みにかけて延びる折り目に沿って若干回動可能であるため、抱き込みの動作が引っかかり無くスムーズに行われる。
また、抱き込み板１７は、長孔１７ｃから放射状に延びる他の折り目においても若干折り曲げ可能であるため、抱き込み動作が一層スムーズなものとなっている。
このガイド片１６の倒伏動作に連動して、これに連設された頂板１５が自動的に底板１１と水平の方向に倒伏する。
このとき上述したように、ガイド片１６はＬ字型をしているため、その外縁角隅部がくぼんでいる。
また、抱き込み板１７は台形状であるため、両側が傾斜状に形成されている。
そのため、ガイド片１６が抱き込み板１７に抱き込まれた際に引っかかりがなく、抱き込んでスライドする際の互いの干渉が抑えられ、スムーズに動かすことが可能である。
また、ガイド片１６に斜めに走る折り目は二重線であるので、ガイド片１６が折れ曲がり、抱き込み板１７の一部を挟み込んだ状態においても、抱き込み板１７の厚みに相当する空間を確保するため、一層スムーズにスライド可能である。
【００１８】
ここから、図４のように、頂板１５をさらに持ち上げると、底板１１の周縁からほぼ垂直に端板１２および側板１３が立ち上がり、側板１３の上縁から内向きにほぼ水平に頂板１５が張り出した収納可能状態がワンタッチで完成する。
この収納可能状態において、抱き込み板１７がガイド片１６を抱き込んでいるため、形状が安定している。
さらに、図示のように、抱き込み板１７先端の係止突起１７ａが、底板１１の係止孔１１ａに差し込まれるため、一層組立状態での形状が安定する。
この状態において、抱き込み板１７の貼り付け部１７ｂ基端の切れ込みはカールしているため、幅方向におけるずれや誤差を吸収し、差込状態を保持できるようになっている。
なお、図示のように組立状態において、端板１２と抱き込み板１７との境界に設けられた係止突起１２ａが組立箱１０上縁から突出しており、底板１１外縁の対応する位置には、係止孔１１ａが設けられている。
そのため、この組立箱１０を積み上げると、これら係止突起１２ａと係止孔１１ａとがはまりあい、スタック状態におけるずれやぐらつきを防止することができる。
また、図示のように、組立箱１０は、組立状態においては、頂板１５両サイドの台形状突片１５ａが端板１２上に張り出した状態となる。
この頂板１５の突片１５ａを端板１２が受け支えるため、組立箱１０を積み上げた際に頂板１５に荷重がかかっても、頂板１５が組立箱１０の収納空間内に落ち込むことはない。
【図面の簡単な説明】
【００１９】
【図１】実施形態にかかる組立箱の展開状態を示す図
【図２】組立箱の折り畳み工程を示す図
【図３】組立箱の端板を引き起こした図
【図４】組立箱の組立完成図
【図５】従来の組立箱の展開状態を示す図
【図６】組立箱の組立工程を示す図
【符号の説明】
【００２０】
１０  実施形態の組立箱
１１  底板
１１ａ  係止孔
１２  端板
１２ａ  係止突起
１３  側板
１４  折り込み片
１５  頂板
１５ａ  突片
１６  ガイド片
１７  抱き込み板
１７ａ  係止突起
１７ｂ  貼り付け部
１７ｃ  長孔
２０  従来の組立箱
２１  底板
２２  端板
２３  側板
２４  折り込み片
２５  頂板
２６  係止片
２７  内板
２８  差込孔
【図１】
2007326604.tif 000003
【図２】
2007326604.tif 000004
【図３】
2007326604.tif 000005
【図４】
2007326604.tif 000006
【図５】
2007326604.tif 000007
【図６】
2007326604.tif 000008